(57)【特許請求の範囲】
【請求項１】
横方向及び縦方向、横方向に延びる二つの端縁（１０７，１０８）、縦方向に延びる二つの側縁（１０９，１１０）、端縁（１０７，１０８）に位置される二つの端縁部分（１１１，１１２）及び側縁（１０９，１１０）に位置される二つの側縁部分（３１９，３２０）を含む縁部分、及び端縁部分（１１１，１１２）の間で縦方向に及び側縁部分（３１９，３２０）の間で横方向に位置される主要液体受容領域（１１８）、使用中装着者に面することを意図される上部表面（１０２）、及び使用中装着者から離れて面することを意図される下部表面（１０４）を含む吸収物品であって、上部表面（１０２）が少なくとも主要液体受容領域（１１８）内において液体透過性であり、物品が液体分配層（１１７）を有する吸収体（１０５）をさらに含む吸収物品において、吸収体（１０５）が上部層（１１５）及び下部層（１１６）を含み、上部層（１１５）が少なくとも二つの別個の部分（１１５ａ，１１５ｂ，１１５ｃ）からなり、それらのうち第一部分（１１５ｃ）が主要液体受容領域（１１８）に配置され、第二部分（１１５ａ，１１５ｂ）が物品の縁部分（１１１，１１２）に配置されていること、液体分配層（１１７）が液体受容領域（１１８）における上部層（１１５）と下部層（１１６）との両方の上に、及び縁部分（１１１，１１２）における上部層（１１５）と下部層（１１６）との間に配置されること、及び液体分配層（１１７）が上部層（１１５）と下部層（１１６）の両方より低い密度を有し、
液体分配層（７１７）が上部吸収層（７１５）と下部吸収層（７１６）の間に位置される領域内に圧縮部（７２３）を有することを特徴とする吸収物品。
【請求項２】
液体分配層（１１７）が少なくとも物品の一つの端縁部分（１１１，１１２）において上部吸収層（１１５）と下部吸収層（１１６）の間に配置されることを特徴とする請求項１に記載の吸収物品。
【請求項３】
液体分配層（１１７）が両方の端縁部分（１１１，１１２）において上部吸収層（１１５）と下部吸収層（１１６）の間に配置されることを特徴とする請求項２に記載の吸収物品。
【請求項４】
液体分配層（３１７）が少なくとも側縁部分（３１９，３２０）において上部吸収層（３１５）と下部吸収層（３１６）の間に配置されることを特徴とする請求項１〜３のいずれかに記載の吸収物品。
【請求項５】
液体分配層（１１７）、上部吸収層（１１５）及び下部吸収層（１１６）が同じタイプの材料からなることを特徴とする請求項１〜４のいずれかに記載の吸収物品。
【請求項６】
上部吸収層（１１５）及び下部吸収層（１１６）がセルロース毛羽パルプと超吸収材料の混合物を含むことを特徴とする請求項１〜５のいずれかに記載の吸収物品。
【請求項７】
吸収体（１０５）が被覆に包囲されること、及び被覆が少なくとも主要液体受容領域（１１８）にわたって延びる液体透過性部分（１０１）を含むことを特徴とする請求項１〜６のいずれかに記載の吸収物品。
【請求項８】
被覆が液体バリヤー層（１０３）を含み、それが下部表面（１０４）上に配置されることを特徴とする請求項７に記載の吸収物品。
【請求項９】
液体バリヤー材料（５２２）が上部表面（５０２）上の縁部分（５１５ａ）にわたって配置されることを特徴とする請求項１〜８のいずれかに記載の吸収物品。
【発明の詳細な説明】
【技術分野】
【０００１】
本発明は、横方向及び縦方向、横方向に延びる二つの端縁、縦方向に延びる二つの側縁、端縁に位置される二つの端縁部分及び側縁に位置される二つの側縁部分を含む縁部分、及び端縁部分の間で縦方向に及び側縁部分の間で横方向に位置される主要液体受容領域、使用中装着者に面することを意図される上部表面、及び使用中装着者から離れて面することを意図される下部表面を含む吸収物品であって、上部表面が少なくとも主要液体受容領域内において液体透過性であり、物品が液体分配層を有する吸収体をさらに含む、おむつ、失禁パッド、衛生ナプキンなどの吸収物品に関する。
【背景技術】
【０００２】
尿、月経血及び流れやすい排泄物の如き流動性体放出物を吸収するために意図される吸収物品と関連した一つの問題は、物品による液体の透過及び液体の吸収が十分に迅速に起こらないことである。特に、排尿が起こり、相対的に多い量の液体が短時間で放出され高圧で物品に当たるとき、物品によって吸収されない液体が代わりにその表面上を流出して漏出を起こすことは珍しい現象ではない。吸収物品における劣った液体取得能力の別の欠点は、液体が表面上に広がって表面を湿らせ、それが装着者の皮膚に対して不快感を与えることである。この問題は月経血及び緩い排泄物の如き高い粘度の液体の場合において特に顕著である。湿った表面がねばねばして不快に感じられることに加えて、装着者の皮膚の摩擦及び他の刺激の危険がもちろん存在する。
【０００３】
ＵＳ  ５３８２２４５は輸送層が液体を液体貯蔵層に移動させる吸収物品を記載する。輸送層は好ましくは表面毛管を有する繊維からなり、それゆえ液体輸送は毛管力に依存する。かかる液体輸送は遅く、それゆえＵＳ  ５３８２２４５に記載された物品は多量の体液の吸収のため又は吸収物品の表面上の湿潤を最小にするためには好ましくない。
【０００４】
従って、迅速に体液を取得して体液を吸収する能力を有する吸収物品に対する必要性が残ったままである。また、物品の表面の湿潤を最小にして表面が使用中できるだけ乾燥して保たれる、物品中に液体を広げる吸収物品に対する必要性がある。
【発明の開示】
【０００５】
本発明によれば、冒頭で言及されたタイプの吸収物品が製造され、その物品は従来公知のかかる製品の問題を本質的に除去する。
【０００６】
本発明による吸収物品は、吸収体が上部層及び下部層を含み、上部層が少なくとも二つの別個の部分からなり、それらのうち第一部分が主要液体受容領域に配置され、第二部分が物品の縁部分に配置されていること、液体分配層が液体受容領域における上部層と下部層の両方の上に及び縁部分における上部層と下部層の間に配置されること、及び液体分配層が上部層と下部層より低い密度を有することを主に特徴とする。
【０００７】
上部吸収層の部分のまわりで液体分配層を曲げることによって、多数の好ましい効果が達成される。液体分配層の弯曲は層の上部表面が主要液体受容領域内で延伸されることを生じ、それによって細孔構造が上に開放され、層中への液体流入が促進される。さらに、細孔サイズ勾配が層中に作られ、液体が最初に層に当たる上部表面において細孔が大きく、細孔は物品の下部表面に向かう方向でサイズを徐々に減少する。これは液体分配層に当たる液体が迅速にその中に導かれ、次いで周囲の吸収層上に運搬されることができることを意味する。さらに、液体受容に部分的にさらされかつ二つの吸収層の間に部分的に位置される液体分配層によって、その配置は物品が最適な方法で液体を吸収体中に受容し分配することを可能にすることを生じる。
【０００８】
本発明の一つの例によれば、液体分配層は少なくとも物品の一つの端縁部分において、有利には両方の端縁部分において上部吸収層と下部吸収層の間に配置される。かかる例では、液体は吸収物品の主要液体受容領域から端部分へ案内される。
【０００９】
少なくとも側縁部分において上部吸収層と下部吸収層の間に液体分配層を配置することもできる。
【００１０】
本発明による液体分配層に使用されることができる材料は、例えば繊維詰物、超吸収フォーム材料、又は吸収層の材料より低い密度の他のスペーシング材料である。ＷＯ  ０１／５６６２５に記載された超吸収詰物のタイプを使用することが特に有利であることが見い出された。繊維構造中にその場で重合されたアクリル酸を有するかかる詰物材料は湿潤後であっても開放構造を与える。その材料は圧縮のために良く適しており、圧縮を保持するための良好な能力を有し、それは薄い吸収物品を製造するための機会を与える。
【００１１】
上部吸収層及び下部吸収層は有利にはセルロース毛羽パルプと超吸収材料の混合物を含む。セルロース毛羽パルプだけから作られた吸収層を使用することもできる。ＷＯ  ９４／１０９５６に記載された吸収材料はかかる材料である。この材料は先行する解繊なしに、直接使用される高密度の乾式形成された繊維層である。ＷＯ  ９４／１０９５６に記載された繊維材料は極めて良好な吸収能力を有する。レーヨン、泥炭、綿などの他の吸収繊維材料も個々に又は吸収フォーム材料と組み合わせて使用されることができる。吸収層は非吸収補強繊維、結合繊維などをさらに含むことができる。
【００１２】
本発明によれば、さらに液体分配層、上部吸収層及び下部吸収層が同じタイプの材料からなることができる。液体移動が液体分配層から周囲の吸収層へ起こるためには、液体分配層は吸収層より低い密度を有しなければならない。
【００１３】
物品中の液体分配を改良及び制御するために、液体分配層は上部吸収層と下部吸収層の間に位置される領域内に圧縮部を与えられることができる。かかる圧縮部は液体を案内する小さな毛管を緻密な繊維構造に与える。圧縮部はさらに、くぼみを付けられた溝又はキャビティを形成し、そこでは液体は走ることができるか又は一時的に収集されることができる。
【００１４】
本発明の一つの例によれば、吸収体は被覆に包囲され、被覆は少なくとも主要液体受容領域にわたって延びる液体透過性部分を含む。かかる被覆は通常、液体のためのバリヤー層（それは下部表面上に配置される）、及び液体透過性被覆層（それは上部表面上に配置される）を含む。物品はさらに、上部表面上に液体ブロッキング材料を与えられることができる。かかる液体のためのバリヤー材料はこの場合、上部表面上の縁部分にわたって配置される。縁バリヤーは物品の側縁に沿って、端縁に沿って、又は物品の全周囲のまわりに適用されることができる。上部表面上に液体ブロッキング材料を配置することによって、上部吸収層に吸収された液体は装着者の体の方へ戻ることを防止される。物品の上部表面上の液体のためのバリヤー材料は液体透過性被覆層が全くないそれらの例の上部吸収層の吸収材料のための結合層及びスペーシング層として作用することもできる。かかる例では、液体分配層はまた、液体受容層を構成し、装着者の方へ直接露出される。この場合、液体分配層は物品の使用中に繊維又は粒子を破壊又は放出しないようにそれ自身の十分な結合能力を持つことが必要である。良好な結合能力を有する材料の例は結合された繊維材料及びフォーム材料である。
【００１５】
図面の簡単な記述
本発明は添付図面に示された図面を参照して以下により詳細に記載されるだろう。
図１は本発明の第一例による失禁パッドの平面図を示す。
図２は図１の失禁パッドの線ＩＩ−ＩＩに沿った縦断面図を示す。
図３は本発明の第二例による衛生ナプキンの平面図を示す。
図４は図３の衛生ナプキンの線ＩＶ−ＩＶに沿った横断面図を示す。
図５は本発明の第三例による失禁パッドの平面図を示す。
図６は図５の失禁パッドの線ＶＩ−ＶＩに沿った横断面図を示す。
図７は本発明の第四例による衛生ナプキンの平面図を示す。
図８は図７の衛生ナプキンの線ＶＩＩＩ−ＶＩＩＩに沿った横断面図を示す。
図９は図７の衛生ナプキンの線ＩＸ−ＩＸに沿った縦断面図を示す。
【発明を実施するための最良の形態】
【００１６】
図１に示された失禁パッド１００は、使用中装着者に面することを意図される表面である失禁パッドの上部表面１０２上に配置される液体透過性被覆層１０１、使用中装着者から離れて面することを意図される表面である失禁パッドの下部表面１０４上に配置される液体不透過性被覆層１０３、及びこれらの被覆層１０１，１０３の間に封入された吸収体１０５を含む。二つの被覆層は吸収体１０５の全周囲に沿って走る縁接合部１０６によって相互接続される。かかる縁接合部１０６は例えば接着又は溶接によってもたらされることができるが、ニードリング及びスタンピングの如き機械的接合方法も使用することができる。
【００１７】
液体透過性被覆層１０１は目的のために好適ないかなる材料からもなることができる。一般的な液体透過性被覆材料は液体透過性をもたらすために界面活性剤で処理された疎水性繊維、有孔界面活性剤処理プラスチックフィルム、ネットなど、及び連続気泡フォーム材料から作られた様々なタイプの非吸収性不織材料である。液体透過性積層体及び液体透過性被覆材料の他の組み合わせも見い出される。
【００１８】
薄い可撓性プラスチックフィルムは通常、液体不透過性被覆層１０３として使用されるが、不透過性フォーム材料、大きい又は小さい程度の硬度を有するプラスチックシェル、疎水性不透過性不織材料などを使用することも知られている。もし液体不透過性被覆層が呼吸性であり、それゆえ空気及び水蒸気の通過を可能とするなら有利であることが多い。ある場合において、パッド中に放出されることが予測される液体の量が極めて小さいとき、液体不透過性被覆層を完全に省略することができる。液体不透過性被覆層を省略することができる吸収物品の例は点滴性失禁を有する人々のためのパンティライナー及びパッドである。あるいは、完全に液体不透過性でないがそれでも液体透過に抵抗するバリヤー層を使用することもできる。
【００１９】
失禁パッド１００は失禁パッドの一般に横方向に延びる丸められた端縁１０７，１０８及び失禁パッドの一般に縦方向に延びる内側に弯曲された側縁１０９，１１０を有する砂時計形状を持つ。失禁パッドはさらに、幅広い端縁部分１１１，１１２及びそれらの端縁部分の間に配置される狭い股部分１１３を伴って設計される。
【００２０】
接着剤の被覆の形の固定手段１１４は液体不透過性被覆層１０３上に配置される。固定手段は装着者のパンツの内側に失禁パッド１００を固定するために使用されることを意図される。示された例では、接着剤は失禁パッドの下側上に完全な被覆の形で配置されるが、もちろんストリップ、スポットなどの接着剤被覆の他の形を使用することができる。失禁パッドの貯蔵及び輸送中、接着剤被覆は通常、除去可能な保護層によって被覆される。かかる保護層は一般に剥離剤処理された紙ストリップからなる。本発明は接着剤固定手段に限定されないが、フック及びループ表面、プレスボタン、クリップなどの摩擦被覆及び機械的固定配置を使用することもできる。ここで関連するタイプの吸収物品は固定フラップを与えられてもよい。かかるフラップは物品の側縁に配置され、使用のために、装着者のパンツ上で脚縁のまわりで折りたたまれ、パンツの外側上に固定される。側部フラップは物品のための固定手段を構成しかつ装着者のパンツを汚れに対して保護する二重の目的に役立つ。
【００２１】
吸収体１０５は全体として失禁パッド１００と同じ形状を持ち、それゆえ同様に二つの端縁部分１１１，１１２及び股部分１１３に分割されることができる。
【００２２】
吸収体はさらに、上部吸収層１１５、下部吸収層１１６及び液体分配層１１７を含む。上部吸収層１１５は液体透過性被覆層１０２の隣りに配置され、一方下部吸収層１１６は液体不透過性被覆層１０３の隣りに配置される。上部吸収層１１５は矩形を有し、三つの別個の部分１１５ａ，１１５ｂ，１１５ｃ、即ち失禁パッド１００の各端縁部分１１１，１１２に配置される端部分１１５ａ，１１５ｃ、及び失禁パッド１００の股部分１１３に配置される中央部分１１５ｂからなる。下部吸収層１１６及び液体分配層１１７は全体として吸収体１０５と同じ形状を持つ。
【００２３】
二つの吸収層１１５，１１６はいかなる吸収材料からもなることができる。一般的な吸収材料は超吸収材料を混合された又は混合されないセルロース毛羽パルプである。超吸収材料は水含有ゲルを形成しながら自重の数倍に相当する液体を取り込んで吸収することができるポリマーである。吸収層は同じ材料又は異なる材料からなることができる。液体分配層１１７は平面（Ｘ／Ｙ方向）及び厚さ方向（Ｚ方向）の両方において液体を受容し輸送する能力を有する材料からなる。使用されることができる液体分配材料は様々なタイプの結合された繊維詰物である。前述したように、特に好適な材料はＷＯ  ０１／５６６２５に記載された超吸収詰物のタイプである。吸収層１１５，１１６と液体分配層１１７の間の関係は、液体が液体分配層１１７から吸収層１１５，１１６への方向に輸送されるようなものでなければならない。これは吸収層が液体分配層１１７より高い密度を有さなければならないことを意味する。
【００２４】
液体分配層１１７は失禁パッド１００の端縁部分１１１，１１２における上部吸収層１１５と下部吸収層１１６の間に及び失禁パッドの股部分１１３における液体透過性被覆層１０１と上部吸収層１１５の間に位置されるような方法で吸収体１０５に配置される。それゆえ液体分配層１１７は両吸収層１１５，１１６の上の上部吸収層の中央部分１１５ｃと液体透過性被覆層１０１の間を除いて、上部吸収層１１５の端部分１１５ａ，１１５ｂと下部吸収層１１６の間に配置される。
【００２５】
このようにして、股部分１１３内で失禁パッド１００に出会う液体は液体が液体透過性被覆層１０１を通過したらすぐに液体分配層１１７によって取り込まれるだろう。直接液体受容に露出された液体分配層１１７の部分と一致する失禁パッドの上部表面１０２の部分はかくして失禁パッドの主要液体受容領域１１８を構成する。
【００２６】
液体分配層１１７が上部吸収層１１５における部分１１５ａ，ｂ，ｃのまわりで曲げられることによって、液体分配層１１７は失禁パッドの上部表面で延伸される。このようにして、液体分配層１１７における繊維構造は上に開放され、それは液体が層１１７中に流れやすくなることを意味する。液体は次いで上部吸収層の端部分１１５ａ，１１５ｂと下部吸収層１１６の間の液体分配層に輸送される。それゆえ本発明は吸収構造の内側に液体を取り込んで分配することを可能にする。液体は液体分配層１１７から上部吸収層１１５に向かって上方へ及び下部吸収層１１６に向かって下方へ吸収される。限定された主要液体受容領域１１８は装着者の皮膚と接触しうる湿潤表面が最小化されることを意味する。それはまた、液体が吸収体の内側で分配され吸収されるという利点であり、それは液体が失禁パッドの上部表面の方へ戻ろうと逃避するほど飽和される前に多量の液体が吸収体に取り込まれることを意味する。
【００２７】
図２からわかるように、液体分配層１１７は吸収体の他の部分よりわずかに短く狭い。かかる例は多くの場合において漏出の見地から有利である。なぜならばそれは液体が吸収物品の縁に向かってずっと輸送されないことを意味するからである。液体分配層１１７はもちろん本発明の範囲内であることができ、図２に示されたものよりさらに短くすることができる。吸収体より短くかつ／または狭い液体分配層を使用する別の利点は一般に、コスト節約がこのようにして達成されることである。なぜならば特に液体分配層１１７の材料はしばしばより洗練されたものであり、従って他の吸収材料より高価なタイプであるからである。
【００２８】
図３及び４は図１及び２の失禁パッド１００と原理的に同じ構成を有する衛生ナプキン３００を示す。それゆえ衛生ナプキン３００は衛生ナプキン３００の上部表面３０２上に位置される液体透過性被覆層３０１と衛生ナプキンの下部表面３０４上に位置される液体不透過性被覆層３０３の間に封入された吸収体３０５を含む。被覆層３０１，３０３は吸収体３０５のまわりに延びる縁接合部３０６において相互接続されている。
【００２９】
衛生ナプキン３００は一般に矩形であり、横方向端縁３０７，３０８及び縦方向側縁３０９，３１０を有する。衛生ナプキンはさらに、縦方向において二つの端縁部分３１１，３１２及びそれらの端縁部分の間の中央に位置される股部分３１３に分割される。横方向においては、股部分は二つの側縁部分３１９，３２０及びそれらの側縁部分３１９，３２０の間の中央に位置される主要液体受容領域３１８に分割される。
【００３０】
図１及び２の失禁パッドと同様に、衛生ナプキン３００は固定手段３１４を与えられる。示された例では、固定手段３１４は衛生ナプキンの下部表面３０４上の液体不透過性被覆層３０３上に配置された三つの接着剤ストランドからなる。
【００３１】
吸収体３０５は三つの部分３１５ａ，３１５ｂ及び３１５ｃからなる上部吸収層３１５を含む。この関連において、二つの側縁部分３１５ａ，３１５ｂは衛生ナプキン３００の側縁部分３１９，３２０に配置され、犬骨形状の中央部分３１５ｃは側縁部分３１５ａ，３１５ｂの間に及び端縁部分３１１，３１２に配置される。吸収体３０５はさらに、全体として吸収体３０５及び衛生ナプキンと本質的に同じ形状及び範囲を有する下部吸収層３１６を含む。矩形液体分配層３１７は股部分３１３に配置され、主要液体受容領域３１８内では液体透過性被覆層３０１と上部吸収層３１５の間に及び側縁部分３１９，３２０内では上部吸収層３１５と下部吸収層３１６の間に位置される。それゆえ液体分配層３１７は上部吸収層３１５の中央部分３１５ｃの狭い部分の上でかつ上部吸収層の側縁部分３１５ａ，３１５ｂの下に配置される。
【００３２】
図５及び６に示された失禁パッド５００は内側に弯曲された側縁５０９，５１０及び外側に弯曲された端縁５０７，５０８を有する砂時計形状を持つ。失禁パッドはさらに、幅広い端部分５１１，５１２及び狭い股部分５１３を伴って造形される。
【００３３】
前述の吸収物品とは対照的に、失禁パッド５００は上部表面５０２上に別個の液体透過性被覆層を持たない。しかしながら、液体不透過性被覆層５０３は失禁パッドの下部表面５０４上に配置され、上述と同じ方法で接着剤固定手段５１４を与えられる。
【００３４】
前述の物品のように、図５及び６の失禁パッドは上部及び下部吸収層５１５，５１６及び液体分配層５１７を有する吸収体を含む。上部吸収層５１５は二つの部分５１５ａ，５１５ｃからなり、その楕円形状の中央部分は失禁パッドの主要液体受容領域５１８に位置され、周囲部分５１５ａは失禁パッドの端縁部分５１１，５１２及び側縁部分５１９，５２０上に延びる。この関連において、周囲部分５１５ａは楕円中央部分５１５ｃと同じ形状及びサイズの開口５２１を有する。下部吸収層５１６及び液体分配層５１７はともに、全体として失禁パッド及び吸収体５０５と同じ砂時計形状を有する。
【００３５】
液体分配層５１７は主要液体受容領域５１８内の上部吸収層５１５の中央部分５１５ｃの上に、及び端縁部分５１１，５１２及び側縁部分５１９，５２０内の上部吸収層５１５と下部吸収層５１６の間に配置される。これは液体分配層５１７が上部吸収層５１５の周囲部分５１５ａにおける開口５２１を通して露出されることを意味する。それゆえ失禁パッド５００に出会う液体は液体分配層５１７中に直接流れることができる。
【００３６】
液体が失禁パッド５００の側縁５０９，５１０で漏出することを防止するために及び装着の皮膚に対してできるだけ表面を乾燥するために、上部被覆層５２２は上部吸収層５１５の周囲部分５１５ａの上に配置される。それゆえ上部被覆層５２２は上部吸収層５１５のように開口５２１を有し、それを通して液体は失禁パッド５００中に移動することができる。上部被覆層５２２は好適には液体のためのバリヤー層、又は少なくとも液体透過に抵抗するか又は再湿潤（即ち、吸収された液体が失禁パッド５００から上部表面５０２を通って逃げること）を防止する層である。上部被覆層のために使用されることができる材料は疎水性不織材料、プラスチックフィルム、不織／プラスチックフィルム積層体、有孔プラスチックフィルムなどである。上部被覆層５２２は吸収体５０５の全周囲のまわりの縁接合部５０６において液体不透過性被覆層５０３とともに接合される。
【００３７】
図７−９は紐パンティとして知られるもの、即ち極めて小さな後部分を有するパンツとともに使用するために特に好適な形状を有する衛生ナプキン７００を示す。衛生ナプキン７００は上部表面７０２上に配置された液体透過性被覆層７０１、下部表面７０４上に配置された液体不透過性被覆層７０３、及びそれらの被覆層７０１，７０３の間に封入された吸収体７０５を含む。被覆層７０１，７０３は吸収体７０５のまわりに走る縁接合部７０６によって相互接続される。
【００３８】
衛生ナプキン７００は横方向端縁７０７，７０８、縦方向側縁７０９，７１０、及び股部分７１３を介して実質的にストリップ形状の後端部分７１２に向かって先細になる幅広い前端部分７１１を有する本質的に三角形形状を持つ。
【００３９】
吸収体は上部及び下部吸収層７１５，７１６及び液体分配層７１７を含む。上部吸収層７１５は三つの部分７１５ａ，７１５ｂ及び７１５ｃからなり、それらのうち中央部分７１５ｃは衛生ナプキンの主要液体受容領域７１８に位置され、前端縁部分７１５ａは衛生ナプキンの前端縁部分７１１上に延び、後端縁部分７１５ｂは衛生ナプキン７００の後端縁部分７１２上に延びる。下部吸収層７１６及び液体分配層７１７はともに、全体として衛生ナプキン及び吸収体７０５と同じ本質的に三角形形状を持つ。
【００４０】
液体分配層７１７は主要液体受容領域７１８内の上部吸収層７１５の中央部分７１５ｃの上に及び端縁部分７１１，７１２内の上部吸収層７１５と下部吸収層７１６の間に配置される。
【００４１】
液体分配層７１７の液体分散能力を高めるために及び衛生ナプキンの前端縁部分７１１の方へ液体分散を案内するために、液体分配層７１７の前端縁部分は液体が吸収層７１５，７１６の間に走ることができる溝を形成する圧縮ストリップ７２３を与えられる。液体はまた、圧縮ストリップにおける緻密な繊維構造に活性的に輸送されることができる。
【００４２】
前述の吸収物品のように、図７−９の衛生ナプキンは固定手段７１４を与えられる。図９では、固定手段７１４が二つの接着剤表面からなり、それぞれが液体不透過性被覆層７０３上の各端縁部分７１１，７１２上に位置される。
【００４３】
本発明はここで記載された例に限定されてみなすべきではなく、特許請求の範囲内で多数のさらなる変形及び修正が考えられる。特に、吸収物品の形状の形状は様々な構成層の形状であることができるのと同様に変えることができる。
【図面の簡単な説明】
【００４４】
【図１】本発明の第一例による失禁パッドの平面図を示す。
【図２】図１の失禁パッドの線ＩＩ−ＩＩに沿った縦断面図を示す。
【図３】本発明の第二例による衛生ナプキンの平面図を示す。
【図４】図３の衛生ナプキンの線ＩＶ−ＩＶに沿った横断面図を示す。
【図５】本発明の第三例による失禁パッドの平面図を示す。
【図６】図５の失禁パッドの線ＶＩ−ＶＩに沿った横断面図を示す。
【図７】本発明の第四例による衛生ナプキンの平面図を示す。
【図８】図７の衛生ナプキンの線ＶＩＩＩ−ＶＩＩＩに沿った横断面図を示す。
【図９】図８の衛生ナプキンの線ＩＸ−ＩＸに沿った縦断面図を示す。
【図１】
0004664680.tif 000002
【図２】
0004664680.tif 000003
【図３】
0004664680.tif 000004
【図４】
0004664680.tif 000005
【図５】
0004664680.tif 000006
【図６】
0004664680.tif 000007
【図７】
0004664680.tif 000008
【図８】
0004664680.tif 000009
【図９】
0004664680.tif 000010